(57)【要約】【課題】ディスク周囲での空気循環を円滑にすることにより，ディスク振動を低減できるディスクスペーサを提供すること。【解決手段】ハードディスクドライブ内のスピンドルモータのハブ外周に取付けられ，ハブ外周に設けられる少なくとも１つのデータ貯蔵用のディスクを支持するディスクスペーサ２５０が提供される。このディスクスペーサ２５０の外周面２５２には，ディスクスペーサ２５０の回転時にディスクの外周方向に向かう空気流を発生させる少なくとも１つの溝２５１が形成されていることを特徴とする。また，上記溝２５１は，外周面２５２の任意の位置からディスクの回転方向とは反対方向に向かうにつれて徐々に深くなるように形成され，溝２５１の最深部から外周面に至るブレード面２５１ａを有するように構成してもよい。さらに，このブレード面２５１ａは外周面２５２の接線と実質的に直交するようにしてもよい。【選択図】　図９
2004022162.tif 000002
【特許請求の範囲】
【請求項１】
ハードディスクドライブ内のスピンドルモータのハブ外周に取付けられ，前記ハブ外周に設けられる少なくとも１つのデータ貯蔵用のディスクを支持するディスクスペーサであって：
前記ディスクスペーサの外周面には，前記ディスクスペーサの回転時に前記ディスクの外周方向に向かう空気流を発生させる少なくとも１つの溝が形成されていることを特徴とする，ハードディスクドライブのディスクスペーサ。
【請求項２】
前記溝は，前記外周面の任意の位置から前記ディスクの回転方向とは反対方向に向かうにつれて徐々に深くなるように形成され，前記溝の最深部から前記外周面に至るブレード面を有することを特徴とする，請求項１に記載のハードディスクドライブのディスクスペーサ。
【請求項３】
前記ブレード面は，前記外周面の接線に対して略垂直であることを特徴とする，請求項２に記載のハードディスクドライブのディスクスペーサ。
【請求項４】
前記溝は，前記外周面の高さ方向全体にかけて連続して形成されることを特徴とする，請求項１，２または３のいずれかに記載のハードディスクドライブのディスクスペーサ。
【請求項５】
前記溝は，前記外周面の高さ方向の略中央部分にのみ部分的に形成されることを特徴とする，請求項１，２または３のいずれかに記載のハードディスクドライブのディスクスペーサ。
【請求項６】
前記溝は，前記外周面に１つだけ形成されることを特徴とする，請求項１，２，３，４または５のいずれかに記載のハードディスクドライブのディスクスペーサ。
【請求項７】
前記溝は，前記外周面に沿って略所定間隔で複数形成されることを特徴とする，請求項請求項１，２，３，４または５のいずれかに記載のハードディスクドライブのディスクスペーサ。
【発明の詳細な説明】
【０００１】
【発明の属する技術分野】
本発明は，ハードディスクドライブのディスクスペーサにかかり，特に，回転するディスクの振動を低減できるようにその形状が改善されたディスクスペーサに関する。
【０００２】
【従来の技術】
ハードディスクドライブ（ＨＤＤ：Ｈａｒｄ　Ｄｉｓｋ　Ｄｒｉｖｅ）は，コンピュータの補助記憶装置のうち１つであり，磁気ヘッドによって磁気ディスクに貯蔵（格納）されたデータを読み込んだり，磁気ディスクにデータを記録したりする装置である。近年では，かかるＨＤＤの高速化，高容量化，低振動化及び低騷音化の実現のために多様な研究開発が推進されている。
【０００３】
図１は，従来のＨＤＤを示す概略的な分解斜視図であり，また図２は，図１に示したＨＤＤの垂直断面図である。
【０００４】
図１および図２に示すように，ＨＤＤはハウジング１０と，このハウジング１０内に設けられて磁気ディスク（ハードディスク）２０を回転させるためのスピンドルモータ３０と，ディスク２０にデータを記録するとともに，ディスク２０に記録されたデータを再生する磁気ヘッドを有するアクチュエータ４０と，を備えている。
【０００５】
上記ハウジング１０は，コンピュータの本体内に設けられ，上記スピンドルモータ３０およびアクチュエータ４０を支持するベースプレート１１と，このベースプレート１１の上部に連結され，ディスク２０などを覆い包んで保護するカバープレート１２と，から構成されている。
【０００６】
上記アクチュエータ４０は，ボイスコイルモータ４８によって，ベースプレート１１上に設けられた回動軸４７を中心に回動できるようになっている。かかるアクチュエータ４０は，回動軸４７に回動自在に連結されたアーム４６と，このアーム４６に設けられ，磁気ヘッドが搭載されたスライダ４２をディスク２０の表面側に付勢するべく支持するサスペンション４４と，を備える。
【０００７】
上記ディスク２０は，データを記録するのための記録媒体である。１つまたは複数のディスク２０が，互いに所定間隔だけ離隔され，スピンドルモータ３０により回転可能に設けられる。
【０００８】
スピンドルモータ３０は，ベースプレート１１に固設されるフランジ３１によって支持される。スピンドルモータ３０のシャフト３２は，一般的に，その上端部がネジ部材３６によりカバープレート１２に連結されて固定される。上記シャフト３２の外周には，一般的に，ベアリング３７を介してハブ３３が回転自在に設けられ，このハブ３３の外周には，上記ディスク２０が嵌め込まれる。複数個のディスク２０を設ける場合には，ディスク２０相互の間隔を保持するためのリング状のスペーサ５０が，ハブ３３の外周に設けられる。さらに，ハブ３３の上端部にはディスク２０の離脱を防止するためのクランプ６０が結合されている。なお，上記スペーサ５０は，上記の如く複数個のディスク２０間の間隔を保持するために用いられることが一般的であるが，１つのディスク２０だけを設ける場合であっても，ディスク２０とクランプ６０との間の隙間を埋めるために用いることができる。
【０００９】
図３は，図１に示したＨＤＤの一部を拡大して示した斜視図であり，また図４は，図３に示したスライダ部位の部分側面図である。
【００１０】
図３に示すように，上記ディスク２０の内周側には電源オフ時にアクチュエータ４０のスライダ４２が載置されるパーキングゾーン２１が設けられており，このパーキングゾーン２１の外側には磁気信号が記録されるデータゾーン２２が設けられている。データゾーン２２には，記録される情報の位置を検出するためのサーボ信号が，ディスク２０の円周に沿って形成された数万個のトラックにあらかじめ記録されている。
【００１１】
ＨＤＤの電源がオフになっている間は，上記スライダ４２はサスペンション４４の弾性力によりディスク２０のパーキングゾーン２１に載置されている。一方，電源がオンされてディスク２０が回転し始めると，空気圧による揚力が発生し，この揚力によりスライダ４２は浮上する。スライダ４２は，浮上した状態でアクチュエータ４０の回動によりディスク２０のデータゾーン２２に移動する。ディスク２０のデータゾーン２２に移動したスライダ４２は，図４に示すように，ディスク２０の回転による揚力とサスペンション４４による弾性力とが均衡する高さに浮上した状態を保持する。このため，スライダ４２に装着された磁気ヘッド４１は，回転するディスク２０と一定の間隔を保持しながら，ディスク２０に対してデータを記録／再生する（例えば特許文献１参照）。
【００１２】
ところで，かかる構成を有する従来のＨＤＤにおいては，さまざまな要因により回転するディスク２０に振動が発生するが，特に，ＨＤＤ内の不規則な空気流動によってもディスク２０の振動が誘発される。
【００１３】
図５は，従来のＨＤＤにおいて一般的に知られているディスク２０周辺に形成される空気流を示す。図５に示すように，ディスク２０のデータ領域２２の中心部位には，ディスク２０の回転方向（矢印Ａの方向）と同じ方向の空気流（矢印Ｂ）が形成される。また，ディスク２０の外周部位（外郭部位）には多数の渦流（矢印Ｃ）が形成される。かかる渦流は，ディスク２０周囲での円滑な空気循環を阻害し，それによりディスク２０外周部位において局部的な温度偏差を発生させる。すなわち，渦流が生じる部位では空気の循環が円滑ではないため，渦流が生じる部位の空気温度は，その周辺の空気温度より高くなってしまう。かかるディスク２０外周部位での温度偏差は，空気圧力の偏差を誘発し，この結果，ディスク２０外周部位に作用する空気圧力が局部的に変化して，ディスク２０の振動を招いてしまう。
【００１４】
かかるディスク振動には，回転ごとに反復する振動成分であるＲＲＯ（Ｒｅｐｅａｔａｂｌｅ　ＲｕｎＯｕｔ；継続）と，反復しない振動成分であるＮＲＲＯ（Ｎｏｎ−Ｒｅｐｅａｔａｂｌｅ　ＲｕｎＯｕｔ）とがある。ＲＲＯは，周期的に反復するので，サーボ制御システムによりある程度補償（補正）されうるが，ＮＲＲＯは，この発生をあらかじめ予測して補償することが困難であるという問題がある。かかるディスク振動は，ＰＥＳ（Ｐｏｓｉｔｉｏｎ　Ｅｒｒｏｒ　Ｓｉｇｎａｌ）を増加させて磁気ヘッド４１のデータ記録及び再生能力を低下させ，結果的にＨＤＤの性能に悪影響を及ぼす。
【００１５】
特に，ディスク２０の回転速度が増しディスク２０が薄くなる程，ディスク振動はさらに大きくなり，上記のサーボ制御システムだけでは正確なデータの記録や再生が一層困難になる。さらに，近年では，ディスク２０のＴＰＩ（Ｔｒａｃｋ　Ｐｅｒ　Ｉｎｃｈ）が高密度となっているため，上記ディスク振動は，磁気ヘッド４１の正確な位置制御をより一層困難にする原因となる。
【００１６】
このため，ＨＤＤ性能の信頼性を確保するためには，その作動中に生じるディスク振動を低減させる必要がある。さらに，近年のような，ＨＤＤのさらなる高速化，大容量化，低騷音化が求められる趨勢においては，ディスク振動の低減は一段と重要な解決課題であるといえる。
【００１７】
【特許文献１】
実開平３−１２１５７７号公報
【００１８】
【発明が解決しようとする課題】
本発明は，従来のハードディスクドライブが有する上記問題点に鑑みてなされたものであり，本発明の目的は，ディスク周囲での空気循環を円滑にすることにより，ディスク振動を低減させることが可能な，新規かつ改良されたハードディスクドライブのディスクスペーサを提供することである。
【００１９】
【課題を解決するための手段】
上記課題を解決するため，本発明の第１の観点によれば，ハードディスクドライブ内のスピンドルモータのハブ外周に取付けられ，ハブ外周に設けられる少なくとも１つのデータ貯蔵用のディスクを支持するディスクスペーサが提供される。このディスクスペーサの外周面には，ディスクスペーサの回転時にディスクの外周方向に向かう空気流を発生させる少なくとも１つの溝が形成されていることを特徴とする。
【００２０】
かかる構成により，スピンドルモータの回転によってディスクおよびディスクスペーサが回転したときに，上記溝がディスクの外周方向に向かう空気の流れを発生させることができるので，ディスク周辺の空気を円滑に循環させて，ディスクの振動を低減することができる。
【００２１】
また，上記溝は，外周面の任意の位置からディスクの回転方向とは反対方向に向かうにつれて徐々に深くなるように形成され，溝の最深部から外周面に至るブレード面を有する，ように構成してもよい。かかる構成により，ブレード面は，ディスクスペーサが回転したときに，ディスク周囲の空気を所定の空気抵抗圧力で押圧して流動させることができる。これにより，ディスクの外周方向に向かう空気流を好適に発生させることができる。
【００２２】
また，上記ブレード面は，外周面の接線に対して略垂直である，ように構成してもよい。換言すると，上記ブレード面は，上記外周面の接線と実質的に直交するようにしてもよい。かかる構成により，ブレード面は，大きな抵抗圧力で周辺の空気を押し出すことができる。
【００２３】
また，上記溝は，外周面の高さ方向全体にかけて連続して形成される，ように構成してもよい。かかる構成により，ディスクスペーサの外周面に，容易に溝を形成できる。
【００２４】
また，上記溝は，外周面の高さ方向の略中央部分にのみ部分的に形成される，ように構成してもよい。かかる構成により，ディスクスペーサの高さ方向（厚み方向）中央付近にだけ空気流を発生させることができるので，空気流がディスク近傍に位置する磁気ヘッドやアーム等に対して直接作用しないようにできる。また，ディスクスペーサの上面および底面の面積を確保することもできる。
【００２５】
また，上記溝は，外周面に１つだけ形成される，ように構成してもよい。また，上記溝は，外周面に沿って略所定間隔で複数形成される，ように構成してもよい。
【００２６】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
（第１の実施形態）
まず，図６〜図８に基づいて，本発明の第１の実施形態にかかるディスクスペーサが装着されたＨＤＤについて説明する。なお，図６は，本実施形態にかかるハードディスクドライブ（ＨＤＤ）のディスクスペーサ１５０の斜視図である。また，図７は，図６に示したディスクスペーサ１５０の拡大平面図である。さらに，図８は，本実施形態にかかるディスクスペーサ１５０が装着されたＨＤＤにおいて，ディスク１２０周辺に形成される空気流を概略的に示す平面図である。
【００２８】
図６および図７に示すように，ＨＤＤ内に設けられたスピンドルモータ１３０のハブ１３３外周には，例えば，１または２つ以上のディスク１２０が装着される。従来のＨＤＤでは，データの貯蔵容量を増加させるために，例えば４つまたはそれ以上のディスクを設ける場合もあったが，近年ではディスクの面記録密度が急激に向上したため，１または２つのディスクだけであっても十分な容量のデータを貯蔵できる。従って，近年では，例えば１または２つのディスクだけを有するＨＤＤが主流をなしている。従って，以下では，主に，例えば２つのディスク１２０を有するＨＤＤの例を挙げて説明する。しかし，本発明にかかるＨＤＤは，以下に説明するような２つのディスク１２０を有した場合に限定されるものではなく，例えば１つのディスクを有する場合や，三つ以上のディスクを有する場合であっても，当然に適用されうる。
【００２９】
本実施形態にかかるディスクスペーサ１５０（以下では，単に「スペーサ１５０」という場合もある。）は，例えば，略リング状を有する部材であり，ＨＤＤ内のスピンドルモータ１３０のハブ１３３外周にディスク１２０を支持するために用いられる。例えば２つ以上のディスク１２０が設けられる場合，スペーサ１５０は，複数のディスク１２０相互の間隔を維持しながら，これらのディスク１２０を固定する機能を果たす。また，ＨＤＤに１つのディスク１２０だけが設けられる場合でも，スペーサ１５０は，ディスク１２０とクランプ（図１の符号６０を参照）間の空間を埋めて，ディスク１２０を固定する機能を有する。
【００３０】
このスペーサ１５０は，その外周面１５２に，少なくとも１つ（図示の例では４つ）の溝１５１が形成されている。この溝１５１は，ディスク１２０とスペーサ１５０とが回転することにより，ディスク１２０外周方向（外郭方向）に向かう空気流を発生させる機能を有する。
【００３１】
この溝１５１は，例えば略リング形状のスペーサ１５０の外周面１５２上に，例えば，１つ形成されてもよいし，或いは，スペーサ１５０の外周に沿って円周方向に略等間隔で複数形成されてもよい。図７の例では，スペーサ１５０の外周面１５２上には，例えば４つの溝１５１が円周方向に等間隔に形成されている。
【００３２】
かかる溝１５１は，図７に示すように，例えば，スペーサ１５０の外周面１５２を部分的に切り欠くようにして，スペーサ１５０の厚み方向（図７の紙面垂直方向）全体にかけて形成されている。この溝１５１は，例えば，断面が略Ｌ字形の溝であり，外周面の接線方向に対して比較的緩い傾斜角度を有する略平坦面である傾斜面と，この傾斜面に例えば略垂直な略平坦面であるブレード面１５１ａとからなる。このブレード面１５１ａは，例えば，４つの溝１５１のいずれにおいても，スペーサ１５０の径方向と例えば略平行な面となっている。
【００３３】
より詳細には，溝１５１は，例えば，スペーサ１５０の外周面１５２上の任意の位置から，ディスク１２０の回転方向（矢印Ａ方向）とは反対方向に向かうにつれて，徐々に深くなるようにして，例えば，スペーサ１５０の底面から上面まで高さ方向全体にかけて連続して形成される。さらに，この溝１５１は，最深部からスペーサ１５０の外周面１５２に至るブレード面１５１ａを有する。このブレード面１５１ａは，スペーサ１５０の回転に伴ってスペーサ１５０の周囲の空気を押圧して，ディスク１２０外周方向に向かう空気流を発生させる機能を有する。かかるブレード面１５１ａは，例えば，スペーサ１５０の外周面１５２の接線Ｔ（図７の部分拡大図参照）と直交することが好ましい。かかる角度にブレード面１５１ａを形成することで，スペーサ１５０の回転時におけるブレード面１５１ａに対する空気抵抗を大きくして，空気流を好適に発生することができる。
【００３４】
このようなブレード面１５１ａは，図８に示すように，ディスク１２０とスペーサ１５０とがともに回転することにより，スペーサ１５０の外周面１５２に隣接した空気を押し出し，これによりディスク１２０の外周方向（外郭方向）に向かう空気の流れ（矢印Ｄ）を形成することができる。
【００３５】
このようにして，ブレード面１５１ａを有する溝１５１によって形成されたディスク１２０外周方向に向かう空気の流れ（矢印Ｄ）は，ディスク１２０の回転方向（矢印Ａの方向）と同じ方向の空気の流れ（矢印Ｂ’）の半径を，従来の空気の流れ（図５の矢印Ｂ参照）と比べて，拡大させるとともに，その形態をさらに略円形に近い形状にする。一方，ディスク１２０の外周部位に形成される渦流（矢印Ｃ’）は小さくなる。この結果，ディスク１２０周辺での空気循環を一層円滑にできるので，ディスク１２０外周部位における局部的な温度偏差を大幅に低減することができる。従って，ディスク１２０外周部位に作用する空気圧力の偏差によるディスク１２０の振動を，大幅に低減することができる。かかるディスク１２０の振動の低減によって，上記ＰＥＳが低減されるので，磁気ヘッド４１のデータ記録／再生能力とその信頼性とを大幅に向上させることができる。
【００３６】
（第２の実施形態）
次に，図９〜図１１に基づいて，本発明の第２の実施形態にかかるディスクスペーサ２５０が装着されたＨＤＤについて説明する。なお，図９は，本実施形態にかかるＨＤＤのディスクスペーサ２５０の斜視図である。また，図１０は，図９に示したディスクスペーサ２５０の水平断面図である。さらに，図１１は，図９に示したディスクスペーサ２５０が装着されたＨＤＤにて２つのディスク間の空気流を示した側面図である。
【００３７】
なお，第２の実施形態にかかるＨＤＤは，第１の実施形態にかかるＨＤＤと比して，ディスクスペーサの溝の構成が異なる点で相違するのみであり，その他の機能構成は，第１の実施形態の場合と略同一であるので，その詳細な説明は省略する。
【００３８】
図９と図１０に示すように，本実施形態にかかるディスクスペーサ２５０（以下では，スペーサ２５０という。）は，ディスク１２０中心付近から外周方向へと向かう空気流を発生させる少なくとも１つ（図示の例では４つ）の溝２５１を有する。この溝２５１は，上述した第１の実施形態の場合と同様に，スペーサ２５０の外周面２５２に，例えば，１つ或いは外周に沿って略等間隔に多数形成することができる。
【００３９】
かかる溝２５１は，スペーサ２５０の外周面２５２の任意の位置から，ディスク１２０回転方向（矢印Ａ方向）とは反対方向に進むにつれ，徐々に深くなるように形成される。また，上記溝２５１は，最深部からスペーサ２５０の外周面２５２まで続いたブレード面２５１ａを有する。かかるブレード面２５１ａは，例えば，スペーサ２５０の外周面２５２の接線Ｔと直交する略平坦面となるように，形成されることが望ましい。
【００４０】
かかる構成の第２の実施形態にかかるスペーサ２５０も，上述した第１の実施形態にかかるスペーサ１５０と同様に，スペーサ２５０の回転に伴い，ディスク１２０外周部方向へ向かう空気流を発生させる作用をなし，この結果，ディスク１２０周辺の空気循環を円滑にし，温度偏差および圧力偏差を低減することで，ディスク１２０振動を防止するという効果を奏するが，その詳細な説明は省略する。
【００４１】
ただし，上述した第１の実施形態にかかるスペーサ１５０とは異なり，第２の実施形態にかかるスペーサ２５０の溝２５１は，例えば，スペーサ２５０の外周面２５２上の高さ方向（スペーサ２５０の厚み方向）の中央部分にだけ形成される。換言すると，溝２５１は，例えば，スペーサ２５０の外周面２５２の中央部分のみを，所定幅で円周方向に沿って所定の回転半径の分だけ連続して削り取るようにして形成されている。
【００４２】
従って，図１１に示すように，スペーサ２５０の回転時には，溝２５１によって形成されるディスク１２０外周方向への空気流（矢印Ｄ）は，ディスク１２０の表面から所定距離だけ離隔して当該外周方向に向かって流動する。このため，当該空気流Ｄは，ディスク１２０の表面に隣接しているスライダ１４２と，このスライダ１４２に搭載された磁気ヘッド１４１に対して，直接的に作用することがほとんどなく，直接的な悪影響を与えない。即ち，溝２５１により形成された空気流Ｄによって，磁気ヘッド１４１のデータ記録及び再生作業を妨害しないようにできる。
【００４３】
さらに，かかるスペーサ２５０では，その外周面２５２の高さ方向の中央部分にだけ溝２５１が形成されているので，ディスク１２０と接触するスペーサ２５０の上面および底面は，従来のスペーサ５０（図１参照）と同様に，完全なリング形状を確保することができる。すなわち，第２の実施形態にかかるＨＤＤでは，スペーサ２５０とディスク１２０の接触面積を，従来のスペーサ５０を装着したＨＤＤと略同一の接触面積を維持できるという長所がある。従って，第２の実施形態にかかるスペーサ２５０を装着したＨＤＤは，従来のＨＤＤと同じ周波数システムを有することができ，ＨＤＤ内の構成要素間の共振を防止するために他の構成要素を変更する必要がないという利点がある。
【００４４】
これに対し，図６に示したように，第１の実施形態にかかるスペーサ１５０は，その外周面１５２の高さ方向全体にかけて溝１５１が形成されるので，ディスク１２０とスペーサ１５０との接触面積が従来のスペーサ５０と比べて小さくなる。従って，第１の実施形態では，スペーサ１５０の外周面１５２に溝１５１を加工しやすいとともに，ディスク１２０外郭方向への空気流Ｂ’を好適に形成できるという利点があるが，一方，ディスク１２０とスペーサ１５０の接触面積が従来のＨＤＤと変わってしまうため，スピンドルモータ１３０及びディスク１２０の周波数を，従来のＨＤＤと比べて変更する必要がある。この場合には，スピンドルモータ１３０のロッキング周波数変更が必要になるので，ＨＤＤ内の他の構成要素との共振を避けるために，他の構成要素を変形させなければならないという欠点がある。
【００４５】
（実施例）
以下では，本発明の実施例にかかるディスクスペーサが装着されたＨＤＤによるディスク振動の低減効果を，従来のＨＤＤと比較する実験を行った結果について説明する。
【００４６】
図１２は，図９に示した第２の実施形態にかかる溝２５１を有するディスクスペーサ２５０によるディスク振動の低減の程度を示すグラフであり，例えば１つの溝２５１を有するスペーサ２５０を装着したＨＤＤでの周波数に応じた振動の変位を測定した結果を示したものである。
【００４７】
図１２に示すように，ディスクスペーサ２５０を装着したＨＤＤでのディスク振動の変位は，従来技術のＨＤＤでのディスク振動の変位と比べて，大幅に低減されていることが分かる。特に，振動のピークとなる周波数では，本実施例にかかるディスクの振動の変位は，従来の場合と比して，略半分〜１／３以下にまで低減している。
【００４８】
また，以下の表１は，本発明の実施形態にかかる多様なディスクスペーサを備えたＨＤＤにおけるディスク振動の低減程度を，従来技術にかかるＨＤＤと比較して示した表である。なお，表１に記載された数値は，３００Ｈｚ〜３２００Ｈｚ間のＮＲＲＯ成分の積分値であり，この値が小さくなるほどディスク振動の低減効果が大きいことを表す。
【００４９】
【表１】
2004022162.tif 000003
【００５０】
表１に示すように，本発明の実施形態にかかるスペーサを装着したＨＤＤでは，従来技術によるスペーサを装着したＨＤＤと比べて，最高１１．３５％の振動低減効果があることが分かる。特に，第１の実施形態にかかるスペーサと比べて，第２の実施形態にかかるスペーサがさらに優れた振動低減効果を有することが分かる。また，２つ以上の溝を有したスペーサに比べて，１つの溝を有したスペーサの振動低減効果が優れていることが分かる。かかる実験結果によれば，第２の実施形態にかかる溝２５１を１つだけ有したスペーサ２５０が最も優秀な振動低減効果を奏する，本発明の最適な実施例であることが分かる。
【００５１】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５２】
【発明の効果】
以上説明したように，本発明にかかるＨＤＤのディスクスペーサによれば，スペーサの外周面に形成された溝によってディスク外周方向への空気の流れを形成することにより，ディスク周辺での空気循環を円滑にすることができる。このため，ディスク振動を大幅に低減することができるので，ＰＥＳを減少させ，磁気ヘッドのデータ記録／再生能力とその信頼性を向上させることができる。
【図面の簡単な説明】
【図１】図１は，従来のＨＤＤを示す概略的な分解斜視図である。
【図２】図２は，図１に示したＨＤＤの垂直断面図である。
【図３】図３は，図１に示したＨＤＤの一部を拡大して示す斜視図である。
【図４】図４は，図３に示したスライダ部位を示す部分側面図である。
【図５】図５は，従来のＨＤＤにおいて，一般的に知られているディスク周辺に形成される空気流を概略的に示す平面図である。
【図６】図６は，第１の実施形態にかかるハードディスクドライブ（ＨＤＤ）のディスクスペーサを示す斜視図である。
【図７】図７は，図６に示したディスクスペーサの拡大平面図である。
【図８】図８は，第１の実施形態にかかるディスクスペーサが装着されたＨＤＤにおいて，ディスク周辺に形成される空気流を概略的に示す平面図である。
【図９】図９は，第２の実施形態にかかるＨＤＤのディスクスペーサを示す斜視図である。
【図１０】図１０は，図９に示したディスクスペーサの水平断面図である。
【図１１】図１１は，図９に示したディスクスペーサが装着されたＨＤＤにおける２つのディスク間の空気流を示す側面図である。
【図１２】図１２は，図９に示した第２の実施形態にかかる溝を有するディスクスペーサによるディスク振動の低減の程度を示すグラフである。
【符号の説明】
１２０　：　ディスク
１３０　：　スピンドルモータ
１５０，２５０　：　スペーサ
１５１，２５１　：　溝
１５１ａ，２５１ａ　：　ブレード面
１５２，２５２　：　外周面
【図１】
2004022162.tif 000004
【図２】
2004022162.tif 000005
【図３】
2004022162.tif 000006
【図４】
2004022162.tif 000007
【図５】
2004022162.tif 000008
【図６】
2004022162.tif 000009
【図７】
2004022162.tif 000010
【図８】
2004022162.tif 000011
【図９】
2004022162.tif 000012
【図１０】
2004022162.tif 000013
【図１１】
2004022162.tif 000014
【図１２】
2004022162.tif 000015